(57)【特許請求の範囲】
【請求項１】
船台に搭載されている船体の底部に導水管の吸引口を接続する開口を形成し、前記船体船尾部に船尾フランジを設け、この船尾フランジにトランサム短管を固定し、前記導水管の吸引口を前記開口に接続し、該導水管の後端を前記トランサム短管の筒部に固定し、前記船体内に設けたエンジンなどの駆動装置に接続された駆動軸を前記トランサム短管内に延長し、この駆動軸の延長部にインペラを固定したウォータジェット型船の建造工程において、
前記駆動軸の軸芯に対する前記船尾フランジの取付面の傾度誤差を測定する測定工程と、前記船尾フランジに接合されるフランジと筒部とからなるトランサム短管を形成する前記フランジの粗材の厚みを設計上の厚みと傾度誤差分の厚みの合計の厚みを含むように形成する準備工程と、前記トランサム短管の粗材のフランジの取付面を、前記船台とは別の工場内で前記傾度誤差に合わせた傾度に切削する機械加工工程と、
前記機械加工されたトランサム短管を、前記船台上の船尾フランジの取付面に組付ける組立工程とからなることを特徴とするウォータジェット型船の建造工程。
【発明の詳細な説明】
【技術分野】
【０００１】
本発明は、ウォータジェット推進型の船舶の船体に対してウォータジェット推進装置を取付ける方法に関するものである。
【背景技術】
【０００２】
船体の船尾部にウォータジェット推進装置を設けた船舶、例えば、ウォータジェット型アルミ船においては、船体の後方あるいは中央部にエンジンを配置し、このエンジンより船尾部の推進装置を構成しているインペラまでの間に駆動軸を使用して駆動する方法が採用されている。
【０００３】
例えば、ウォータジェット推進船において船体の中央部に設けた主機関と船体の船尾部に配置された導水管内に設けたインペラとの間の距離が長いことと、主機関の回転数が高すぎてインペラの回転と適合しないことから、主機関とインペラとの間に軸受と減速機とを設け、これらの機器の間を第一の動力伝達軸で連結し、前記減速機とインペラとの間を第二の動力伝達軸で連結し、前記軸受で第一の動力の伝達軸の撓みを防止し、前記第二の動力伝達軸を伝達トルクに合わせて第一の動力伝達軸より太くした装置が提案されている（特許文献１）。
【０００４】
また、ウォータジェット推進船の船体トランサムと、トランサムフランジとをボルトで連結する構造が提案されている（特許文献２）。
【先行技術文献】
【特許文献】
【０００５】
【特許文献１】特開２００３−１４６２９１号公報
【特許文献２】特開２００３−１１２６９０号公報
【発明の概要】
【発明が解決しようとする課題】
【０００６】
前記特許文献１に記載された発明にはウォータジェット推進船において、主機関とインペラとの間に軸受と減速機とを配置して第一の動力伝達軸の撓みを防止する構造を提案しているが、主機関から軸受を介して減速機に至る第一の動力伝達軸や前記減速機とポンプ装置のインペラとの間を連結する第二の動力伝達軸との一連の軸芯を合わせる手段については全く教示していない。
【０００７】
また、特許文献２には船体トランサムと、トランサムフランジとの取付構造が記載されているが、この特許文献に記載された発明においては船体トランサムのフランジ面を加工してトランサムフランジを取付ける方法が開示されているに過ぎない。したがって、この加工方法では特殊な切削装置を準備して加工しなければならず、ウォータジェット推進船の建造コストが高価にならざるを得ない。
【０００８】
図２は、ウォータジェット型のアルミ船の要部を示しており、船体１の船底の前方に向けて導水管３の吸引口３aを開口し、その後部にポンプ装置のインペラ４とノズル５を配置し、更にその後部に操舵装置６を配置している。そして前記インペラ４とエンジン２との間を駆動軸７で連結している。
【０００９】
そして前記インペラ４は、図４に示すようにインペラケーシング９内に収容された状態で船尾端１aに取り付けられているトランサム短管８の軸芯（見通し線Ｌ）を合わせながら前記インペラケーシング９が嵌入されて固定される。
【００１０】
図３は、船尾端１aに設けられた船尾フランジ１１にトランサム短管８を固定するとともに導水管３の後端部と前記トランサム短管８の筒部とをフランジで連結した状態を示している。前記トランサム短管８には図４に示すように操舵装置６、ノズル５、インペラ４を収容するインペラケーシング９などで構成されるウォータジェット推進装置１０が一体的に形成されており、前記トランサム短管８に前記インぺラケーシング９を嵌合して固定される。
【００１１】
図２および図４に示されているように、インペラ４はインペラケーシング９内に収容され、その羽根の先端とインペラケーシング９の内周面との間には僅かな間隙が形成されている。この間隙は機種とサイズによって異なるが、一般的に軸芯に対してトランサム短管の取付角度は「±０．１〜０．１５度」ずれるとインペラ４とインペラケーシング９は接触し、大きな振動を発生するとともに所定のポンプ性能を発揮できないという問題がある。
【００１２】
従って、図４に示すように駆動軸７に対してインペラ４の回転面が直交するように取付けられ、更にインペラケーシング９のフランジ９aの表面とトランサム短管８のフランジ８aの表面とが平行して対面して正確に固定される必要がある。
【００１３】
しかし、現実にはインペラケーシング９の内面とインペラ４との位置関係に偏心誤差などがあり、正確に組み立てることができないことが多い。従って、通常は、図５に示すように船尾端１aに直接固定されている船尾フランジ１１の取付面１１aの“傾度”（駆動軸の軸芯に直交する円板状の面に対する取付面１１ａの傾斜状態）を調整するために傾度調整代「Ａ」を設けている。
【００１４】
船尾端１ａに船尾フランジ１１を固定した段階で、この船尾フランジ１１が持つ誤差を前記傾度調整代Ａの範囲内でボーリングしてその取付面１１ａを調整する必要がある。
【００１５】
しかし、船尾端１aに固定されている船尾フランジ１１の取付面１１aの傾斜を正確にボーリングするためには、その準備段階で船尾フランジ１１の後部の全円周にわたって測定した位置、その位置に対応する傾度などを測定した上で、そのデータに基づいて、縦方向に立った状態の面を切削できる特殊なボーリング装置を使用し、しかも、かなりの時間をかけて切削加工しなければならない。
【００１６】
従って、例えば、直径１m程度の船尾フランジ１１を現地加工すると、少なくとも５００万円ないしそれ以上の費用と作業時間を必要とするという問題があった。
【００１７】
本発明は、前記従来技術のおける船尾フランジの取付け面の調整加工に多大な時間と費用を必要とするという問題を解消することを目的とするものである。
【課題を解決するための手段】
【００１８】
前記課題を解決するための本発明は次のように構成されている。
【００１９】
船台に搭載されている船体の底部に導水管の吸引口を接続する開口を形成し、前記船体船尾部に船尾フランジを設け、この船尾フランジにトランサム短管を固定し、前記導水管の吸引口を前記開口に接続し、該導水管の後端を前記トランサム短管の筒部に固定し、前記船体内に設けたエンジンなどの駆動装置に接続された駆動軸を前記トランサム短管内に延長し、この駆動軸の延長部にインペラを固定したウォータジェット型船の建造工程において、
前記駆動軸の軸芯に対する前記船尾フランジの取付面の傾度誤差を測定する測定工程と、前記船尾フランジに接合されるフランジと筒部とからなるトランサム短管を形成する前記フランジの粗材の厚みを設計上の厚みと傾度誤差分の厚みの合計の厚みを含むように形成する準備工程と、前記トランサム短管の粗材のフランジの取付面を、前記船台とは別の工場内で前記傾度誤差に合わせた傾度に切削する機械加工工程と、
前記機械加工されたトランサム短管を、前記船台上の船尾フランジの取付面に組付ける組立工程とからなることを特徴としている。
【発明の効果】
【００２０】
本発明は、船体の船尾部に固定されている船尾フランジの取付面が、駆動軸の軸芯に直交する面に対して有する誤差、つまり「傾度誤差」を測定しておく。
【００２１】
そして船台とは別の機械工場においてトランサム短管のフランジ粗材の前記船尾フランジと接合する取付面を、切削装置で前記船尾フランジの傾度誤差に合せるように正確に切削加工するものである。
【００２２】
周知のように機械工場には大型の切削装置やクレーンなどの荷役設備や運搬設備が設けてあり、トランサム短管のような大型のものでも容易に移送し所定の位置に固定し、切削加工することができる。
【００２３】
本発明を適用するために、トランサム短管のフランジ粗材を前記傾度誤差に合わせて切削する必要があるので、船尾フランジの取付面の傾度誤差分の厚みを加えた厚さのフランジに形成しておく必要がある。
【００２４】
本発明は、船台とは別の機械工場において船台上に搭載されている船体の船尾ブランジの傾度誤差に対応してトランサム短管のフランジの取付面を切削するのであるから、この取付面の機械加工の精度と切削作業効率を格段に向上させることができる。
その結果、従来の船台上において切削し、組立てる方法に比較して生産効率が上昇し、製作コストを大幅に低減することができる。
【００２５】
以上の如く、本発明は船台上の船体の組立作業と、船台とは別の機械工場での切削作業が連携して行われるので、効率化は勿論、工程管理が容易になり、安全性と効率性の高い、船体にウォータジェット推進装置を取付ける方法を提供することができる。
【００２６】
ウォータジェット型の船体の船尾に固定されている船尾フランジの取面に、その円周方向に駆動軸の軸芯（見通し線）に対する誤差（２枚の円板状の取付面の側面から見て合致しない状態）が発生しているので、予めこの傾度誤差を測定し、この傾度誤差を考慮してトランサム短管の前記調整代を利用して船台とは別の工場、特に機械工場において前記傾度誤差を補正するので、その加工は正確にしかも簡単にできるのでウォータジェット推進装置を船尾部に、廉価で取付けることができる。
【発明を実施するための最良の形態】
【００２７】
図１は本発明の実施例に係るトランサム短管８０の側面図であり、このトランサム短管８０のフランジ８１を通常の厚さ「Ｆ」と、トランサム短管傾度調整代「Ａ１」を加えた厚さ「Ｔ」、あるいはそれより若干厚めに形成している点に特徴がある。
【００２８】
そして第１の加工工程においては、図３に示すように船体１の船尾端１aに固定されている船尾フランジ１１の取付面Sの軸心（見通し線Ｌ）に対する傾度を、その船尾フランジ１１の全円周にわたって測定し、その測定した位置と、その箇所における誤差（前記見通し線Ｌに対する誤差）とを測定してこれらからなる「傾度誤差」を測定しておく。なお、前記見通し線Ｌの測定（軸芯の測定）には、レーザー光線を利用する方法が適しているが、ピアノ線を利用して測定することも可能である。
【００２９】
次の工程は、船台とは別の工場において、その切削設備であるフライス盤等を使用して前記「傾度誤差」を打ち消すように、前記船体に固定されている船尾フランジ１１の取付け表面Ｓを基準として測定したデータ（傾度誤差）に基づいて、トランサム短管８０のフランジ８１の傾度調整代「Ａ１」を切削する。
【００３０】
このように、図１に示されている傾度調整代「Ａ１」の部分を工場内の機械設備で切削すると、このトランサム短管８０の中心線L1は正規の所（図３、図４の中心線Ｌに相当する。）に存在することになる。
【００３１】
従って、前記図３に描かれている船尾フランジ１１の部分に、前記のようにして傾度が調整されたトランサム短管８０を取り付けることによって船尾フランジ１１の中心線Ｌとトランサム短管８０の中心線Ｌ１(図１)とが一致することとなる。
【００３２】
この状態となると、前記のように、インぺラケーシング９とその内部のインペラ４とが同心状に保持されることになり、そのインペラの先端の回転面と、前記インペラケーシング９の内面との間隙を一定に保持することができ、ポンプ性能を最高に保持できるウォータジェット推進装置を船尾部に据え付けることができるのである。
【００３３】
本発明においては、船台とは別の工場内においてトランサム短管８０のフランジ８１の取付面（トランサム短管８０の傾度調整代８２）を切削することによって駆動軸７の軸芯に合わせてトランサム短管８０の軸芯を合わせることが可能となる。
【００３４】
したがって、従来の工程においては、直立状態で固定されている船尾フランジ１１（図３、図５）の取付面１１ａを切削していた困難を伴う工程を必要としたが、本発明においては被加工物であるトランサム短管８０（粗材）を単体で取扱うことができるので、工場内において通常の工作機械を使用して正確に軸芯を合わせることができるので、前記の一連の加工・取り付け作業を、極めて簡単に、かつ、廉価（従来の約１０分の１）で完成することができるのである。
【図面の簡単な説明】
【００３５】
【図１】本発明に係るトランサム短管の側面図である。
【図２】ウォータジェット推進装置を装備したアルミ船の船尾部の概略断面図である。
【図３】船尾部構造を示す断面図である。
【図４】ウォータジェット推進装置を船尾部に固定する状態を示す説明図である。
【図５】従来の船尾フランジとトランサム短管とを示す断面図である。
【符号の説明】
【００３６】
１ 船体
１ａ 船尾端
３ 導水管
３ａ 吸水口
４ インペラ
５ ノズル
６ 操舵装置
７ 駆動軸
８ 従来のトランサム短管
９ インペラケーシング
１０ ウォータジェット推進装置
１１ 船尾フランジ
１１ａ 取付面
８０ トランサム短管（本発明の）
８１ フランジ
８２ トランサム短管傾度調整代
【図１】
0005373930.tif 000002
【図２】
0005373930.tif 000003
【図３】
0005373930.tif 000004
【図４】
0005373930.tif 000005
【図５】
0005373930.tif 000006